(57)【特許請求の範囲】
【請求項１】
ベースバンドユニットに接続されて用いられるもので、このベースバンドユニットから与えられるベースバンド信号を無線周波信号に変換して無線送信する無線ユニットにおいて、
周囲温度を検出する温度検出手段と、
外部からの供給電力の電圧を検出する電圧検出手段と、
前記無線周波信号を、制御電圧のレベルに応じた利得で増幅する増幅手段と、
自ユニットを用いて求められたもので周囲温度の単位変化に対する送信出力の変化量を示した温度係数を記憶した温度係数記憶手段と、
自ユニットを用いて求められたもので前記供給電圧の単位変化に対する送信出力の変化量を示した電圧係数を記憶した電圧係数記憶手段と、
自ユニットを用いて求められたもので単位チャネル変化に対する送信出力の変化量を示したチャネル係数を記憶したチャネル係数記憶手段と、
自ユニットを用いて求められたもので前記制御電圧の単位変化に対する送信出力の変化量を示した制御電圧対出力係数を記憶した制御電圧対出力係数記憶手段と、
前記温度検出手段により検出された周囲温度と前記温度係数記憶手段に記憶された温度係数とに基づいて周囲温度の変化にともなう送信出力の偏差を、前記電圧検出手段により検出された電圧と前記電圧係数記憶手段に記憶された電圧係数とに基づいて前記供給電力の電圧の変化にともなう送信出力の偏差を、前記無線周波信号の送信に用いるチャネルと前記チャネル係数記憶手段に記憶されたチャネル係数とに基づいて送信に用いるチャネルに応じた送信出力の偏差を、さらには得ようとする送信出力と前記制御電圧対出力係数記憶手段に記憶された制御電圧対出力係数とに基づいて制御電圧のレベルに応じた送信出力の偏差をそれぞれ補償して送信出力が所望レベルとなるように前記増幅手段に与える制御電圧を決定する送信出力偏差補償手段とを具備したことを特徴とする無線ユニット。
【請求項２】
ベースバンドユニットに接続されて用いられるもので、無線回線を介して到来した無線周波信号をベースバンド信号に変換して前記ベースバンドユニットへと与える無線ユニットにおいて、
周囲温度を検出する温度検出手段と、
外部からの供給電力の電圧を検出する電圧検出手段と、
前記無線周波信号の受信レベルに応じたレベルを持つ受信レベル信号を生成する受信レベル信号生成手段と、
自ユニットを用いて求められたもので周囲温度の単位変化に対する前記受信レベル信号のレベルの変化量を示した温度係数を記憶した温度係数記憶手段と、
自ユニットを用いて求められたもので前記供給電圧の単位変化に対する前記受信レベル信号のレベルの変化量を示した電圧係数を記憶した電圧係数記憶手段と、
自ユニットを用いて求められたもので単位チャネル変化に対する前記受信レベル信号のレベルの変化量を示したチャネル係数を記憶したチャネル係数記憶手段と、
前記温度検出手段により検出された周囲温度と前記温度係数記憶手段に記憶された温度係数とに基づいて周囲温度の変化にともなう前記受信レベル信号のレベルの偏差を、前記電圧検出手段により検出された電圧と前記電圧係数記憶手段に記憶された電圧係数とに基づいて前記供給電力の電圧の変化にともなう前記受信レベル信号のレベルの偏差を、さらには前記無線周波信号の伝送に用いられたチャネルと前記チャネル係数記憶手段に記憶されたチャネル係数とに基づいて伝送に用いられたチャネルに応じた前記受信レベル信号のレベルの偏差をそれぞれ補償して前記受信レベル信号のレベルが前記受信信号のレベルと所定の関係をなすように前記受信レベル信号を補正する受信レベル信号補正手段とを具備したことを特徴とする無線ユニット。
【請求項３】
前記無線周波信号を減衰させる減衰手段と、
所定の強入力状態であることを検出する強入力検出手段と、
この強入力検出手段により前記強入力状態であることが検出されているときに、前記減衰手段により前記無線周波信号を減衰させる減衰制御手段とを備え、
かつ前記受信レベル信号補正手段は、前記減衰手段による減衰量をも考慮して前記受信レベル信号を補正することを特徴とする請求項２に記載の無線ユニット。
【請求項４】
ベースバンドユニットに接続されて用いられるもので、このベースバンドユニットから与えられるベースバンド信号を無線周波信号に変換して無線送信する機能、および無線回線を介して到来した無線周波信号をベースバンド信号に変換して前記ベースバンドユニットへと与える機能の少なくともいずれかを備えた無線ユニットにおいて、
バッテリセービングのための電源制御を行うべき構成回路の少なくとも一部の電源制御を行う電源制御手段を備えたことを特徴とする無線ユニット。
【請求項５】
前記電源制御手段は、バッテリセービングのための電源制御を行うべき構成回路の全ての電源制御を行うことを特徴とする請求項４に記載の無線ユニット。
【請求項６】
ベースバンドユニットに接続されて用いられるもので、無線回線を介して到来した無線周波信号をベースバンド信号に変換して前記ベースバンドユニットへと与える無線ユニットにおいて、
前記無線周波信号を減衰させる減衰手段と、
所定の強入力状態であることを検出する強入力検出手段と、
この強入力検出手段により前記強入力状態であることが検出されているときに、前記減衰手段により前記無線周波信号を減衰させる減衰制御手段とを具備したことを特徴とする無線ユニット。
【発明の詳細な説明】
【０００１】
【発明の属する技術分野】
本発明は、例えばＰＨＳ（Personal Handyphone System）端末などに適用され、ベースバンド信号を無線送信するための無線周波信号に変換したり、無線周波信号をベースバンド信号に変換するなどの処理を行う無線ユニットに関する。
【０００２】
【従来の技術】
ＰＨＳ端末を構成するユニットの主要なものとして、無線ユニットとベースバンドユニットとが知られている。
【０００３】
図４はＰＨＳ端末に用いられる従来の無線ユニットの要部構成を示す図である。
【０００４】
この図に示すように従来の無線ユニットは、Ｉ／Ｑ変調部１、ローパスフィルタ２、利得制御増幅器３、ミキサ４、バッファ５、バンドパスフィルタ６、ドライバ７、パワーアンプ８、アンテナスイッチ９、インバータ１０、バンドパスフィルタ１１、アンテナ１２、低ノイズアンプ１３、ミキサ１４、バッファ１５、バンドパスフィルタ１６、ミキサ１７、バンドパスフィルタ１８、中間周波増幅器１９、ＲＳＳＩ検出部２０、ＰＬＬユニット２１、水晶振動子２２、第１電圧制御発振器２３、第２電圧制御発振器２４、レギュレータ２５，２６、電圧センサ２７、温度センサ２８および電源スイッチ２９，３０，３１，３２，３３，３４，３５を有している。
【０００５】
さて、この従来の無線ユニットは、ベースバンドユニットに接続されて動作するものであるが、無線ユニットには図４に示すようにアナログ系のみを搭載し、制御部などのディジタル系はベースバンドユニットに搭載することが常識となっている。
【０００６】
このため、中間周波帯にダウンコンバートした受信信号をベースバンドユニットに与えるためのＩＦ出力端子、および中間周波帯の送信信号（Ｉ，Ｑ）をベースバンドユニットから取り込むためのＩＦ入力端子の他に、ＲＸ電源ＳＷ端子、ＲＳＳＩ出力端子、ＶＣＯ電源ＳＷ端子、Ｌ  ＤＥＴ出力端子、ＤＡＴＡ入力端子、ＣＫ入力端子、ＳＴＢ入力端子、ＢＳ入力端子、ＡＮＴ  ＳＷ端子、ＳＹＳＣＫ出力端子、２つのＰＡ  ＳＷ端子、ＴＸ  ＢＳ端子、２つのＩＦ入力端子、Ｐ  ＣＯＮＴ入力端子、３．６Ｖ電源供給端子、ＲＥＧ制御入力端子、ＢＡＴＴ出力端子およびＴＥＭＰ出力端子といった、ベースバンドユニットとの間で種々の信号や情報を授受するための接続端子が設けられている。
【０００７】
また、受信レベルが大きすぎるときに受信信号を減衰するためのアッテネータをいくつか備えておき、強入力検出部にて強入力状態が検出された場合にアッテネータを動作させるようにする場合があるが、この場合には強入力検出部の検出信号をベースバンドユニットへと出力する端子およびアッテネータの動作を制御するためのいくつかの入力端子とを設けることとなる。
【０００８】
このように従来の無線ユニットは、多数の信号や情報をベースバンドユニットとの間で授受する必要があることから、インタフェイスが複雑で、コネクタが大型となるなどの不具合があった。
【０００９】
さて、ＲＳＳＩ検出部２０で生成されたＲＳＳＩ信号は、ＲＳＳＩ出力端子を介してベースバンドユニットに与えられ、ベースバンドユニットでの受信レベルの判断に使用される。
【００１０】
ところが、ＲＳＳＩ検出部２０で生成されるＲＳＳＩ信号の特性は、チャネル間偏差、温度変化にともなう偏差、あるいは電源電圧変化にともなう偏差が無線ユニット毎でばらつくため、ベースバンドユニットにおいてＲＳＳＩ信号の補正を行っている。
【００１１】
一方、利得制御増幅器３は、送信出力のレベルを調整するためのものであるが、その利得の制御はベースバンドユニットからＰ  ＣＯＮＴ入力端子を介して与えられるＰ  ＣＯＮＴ信号によりなされる。
【００１２】
ところが、利得制御増幅器３の特性は、チャネル間偏差、温度変化にともなう偏差、あるいは電源電圧変化に伴う偏差が無線ユニット毎でばらつくため、ベースバンドユニットにおいてＰ  ＣＯＮＴ信号の補正を行っている。
【００１３】
具体的には、ベースバンドユニットには、無線ユニットの平均的な特性を代表値として予め持たせてある。無線ユニットと実際に組み付けられた際には、その無線ユニットの特性と予め持っている代表値との誤差を求め、これに基づいて補正情報を作成する。そして運用時には、補正情報を用いてＲＳＳＩ信号の補正やＰ  ＣＯＮＴ信号の補正を行っている。
【００１４】
このようなベースバンドユニットにおける補正情報の設定は、無線ユニットとペアを組んだ上で行わなければならないため、無線ユニットとベースバンドユニットとを組み付けてシステムを構築しようとするユーザがその作業を行わなければならず、非常に面倒となっていた。
【００１５】
しかも、一旦組み付けた後にいずれか一方を交換するなどしてペアが崩れると、ベースバンドユニットにおける補正のための条件設定の作業を再度行わなければならず、保守作業も非常に面倒となっていた。
【００１６】
また、無線ユニットの各部の動作タイミングについてもベースバンドユニットからの制御が行われるが、無線性能を十分に発揮するための最適な制御タイミングは無線ユニットの特性を十分に理解した上でベースバンドユニットでの制御タイミングを適切に設定する必要があり、非常に面倒となっていた。
【００１７】
【発明が解決しようとする課題】
以上のように従来の無線ユニットは、制御のために必要な種々の信号をベースバンドユニットに与え、そのベースバンドユニットからの制御を受けて動作するものとなっているため、ベースバンドユニットの動作条件の設定を、無線ユニットとのペアを確定させてからでなければ行うことができなかった。
【００１８】
また従来の無線ユニットは、ベースバンドユニットとの間で多数の信号を授受しなければならないため、インタフェースが複雑になってしまうという不具合があった。
【００１９】
本発明はこのような事情を考慮してなされたものであり、その目的とするところは第１に、ベースバンドユニット側の動作の条件を組み付ける無線ユニットに拘わらずに設定することを可能とする無線ユニットを提供することにある。
【００２０】
また本発明の目的とするところは第２に、ベースバンドユニットとの間で授受する信号を減少し、インタフェースの簡略化を図ることができる無線ユニットを提供することにある。
【００２１】
【課題を解決するための手段】
前記第１の目的を達成するために第１の発明は、ベースバンドユニットに接続されて用いられるもので、このベースバンドユニットから与えられるベースバンド信号を無線周波信号に変換して無線送信する無線ユニットにおいて、周囲温度を検出する例えば温度センサなどの温度検出手段と、外部からの供給電力の電圧を検出する例えば電圧センサなどの電圧検出手段と、前記無線周波信号を、制御電圧のレベルに応じた利得で増幅する例えば利得制御増幅器などの増幅手段と、自ユニットを用いて求められたもので周囲温度の単位変化に対する送信出力の変化量を示した温度係数を記憶した例えば補正情報メモリなどの温度係数記憶手段と、自ユニットを用いて求められたもので前記供給電圧の単位変化に対する送信出力の変化量を示した電圧係数を記憶した例えば補正情報メモリなどの電圧係数記憶手段と、自ユニットを用いて求められたもので単位チャネル変化に対する送信出力の変化量を示したチャネル係数を記憶した例えば補正情報メモリなどのチャネル係数記憶手段と、自ユニットを用いて求められたもので前記制御電圧の単位変化に対する送信出力の変化量を示した制御電圧対出力係数を記憶した例えば補正情報メモリなどの制御電圧対出力係数記憶手段と、前記温度検出手段により検出された周囲温度と前記温度係数記憶手段に記憶された温度係数とに基づいて周囲温度の変化にともなう送信出力の偏差を、前記電圧検出手段により検出された電圧と前記電圧係数記憶手段に記憶された電圧係数とに基づいて前記供給電力の電圧の変化にともなう送信出力の偏差を、前記無線周波信号の送信に用いるチャネルと前記チャネル係数記憶手段に記憶されたチャネル係数とに基づいて送信に用いるチャネルに応じた送信出力の偏差を、さらには得ようとする送信出力と前記制御電圧対出力係数記憶手段に記憶された制御電圧対出力係数とに基づいて制御電圧のレベルに応じた送信出力の偏差をそれぞれ補償して送信出力が所望レベルとなるように前記増幅手段に与える制御電圧を決定する例えば送信出力調整部などの送信出力偏差補償手段とを備えた。
【００２２】
このような手段を講じたことにより、当該無線ユニットの実際の特性に応じて、当該無線ユニット内において送信出力の偏差が補償される。従って、当該無線ユニットの特性がベースバンドユニットには影響せず、ベースバンドユニット側で無線ユニットの特性を考慮する必要がない。
【００２３】
また前記第１の目的を達成するために第２の発明は、ベースバンドユニットに接続されて用いられるもので、無線回線を介して到来した無線周波信号をベースバンド信号に変換して前記ベースバンドユニットへと与える無線ユニットにおいて、周囲温度を検出する例えば温度センサなどの温度検出手段と、外部からの供給電力の電圧を検出する例えば電圧センサなどの電圧検出手段と、前記無線周波信号の受信レベルに応じたレベルを持つ受信レベル信号を生成する例えばＲＳＳＩ検出部などの受信レベル信号生成手段と、自ユニットを用いて求められたもので周囲温度の単位変化に対する前記受信レベル信号のレベルの変化量を示した温度係数を記憶した例えば補正情報メモリなどの温度係数記憶手段と、自ユニットを用いて求められたもので前記供給電圧の単位変化に対する前記受信レベル信号のレベルの変化量を示した電圧係数を記憶した例えば補正情報メモリなどの電圧係数記憶手段と、自ユニットを用いて求められたもので単位チャネル変化に対する前記受信レベル信号のレベルの変化量を示したチャネル係数を記憶した例えば補正情報メモリなどのチャネル係数記憶手段と、前記温度検出手段により検出された周囲温度と前記温度係数記憶手段に記憶された温度係数とに基づいて周囲温度の変化にともなう前記受信レベル信号のレベルの偏差を、前記電圧検出手段により検出された電圧と前記電圧係数記憶手段に記憶された電圧係数とに基づいて前記供給電力の電圧の変化にともなう前記受信レベル信号のレベルの偏差を、さらには前記無線周波信号の伝送に用いられたチャネルと前記チャネル係数記憶手段に記憶されたチャネル係数とに基づいて伝送に用いられたチャネルに応じた前記受信レベル信号のレベルの偏差をそれぞれ補償して前記受信レベル信号のレベルが前記受信信号のレベルと所定の関係をなすように前記受信レベル信号を補正する例えばＲＳＳＩ補正部などの受信レベル信号補正手段とを備えた。
【００２４】
このような手段を講じたことにより、当該無線ユニットの実際の特性に応じて、当該無線ユニット内において受信レベル信号の偏差が補償される。従って、ベースバンドユニットでは偏差がほとんどない受信レベル信号を取得することができ、無線ユニットの特性を考慮しての受信レベル信号の補償を行う必要がない。
【００２５】
また第３の発明は、前記第２の発明に加えて、前記無線周波信号を減衰させる例えば３つのアッテネータからなる減衰手段と、所定の強入力状態であることを検出する例えば強入力検出部などの強入力検出手段と、この強入力検出手段により前記強入力状態であることが検出されているときに、前記減衰手段により前記無線周波信号を減衰させる、例えば主制御部およびタイミング制御部よりなる減衰制御手段とを備え、かつ前記受信レベル信号補正手段を、前記減衰手段による減衰量をも考慮して前記受信レベル信号を補正するものとした。
【００２６】
このような手段を講じたことにより、減衰手段による減衰が行われることで受信信号のレベルが低下されたとしても、このように減衰される前の正しい受信信号レベルを示した受信レベル信号が出力される。
【００２７】
また前記第２の目的を達成するために第４の発明は、ベースバンドユニットに接続されて用いられるもので、このベースバンドユニットから与えられるベースバンド信号を無線周波信号に変換して無線送信する機能、および無線回線を介して到来した無線周波信号をベースバンド信号に変換して前記ベースバンドユニットへと与える機能の少なくともいずれかを備えた無線ユニットにおいて、バッテリセービングのための電源制御を行うべき構成回路の少なくとも一部の電源制御を行う例えばタイミング制御部などの電源制御手段を備えた。
【００２８】
このような手段を講じたことにより、電源制御手段により電源制御がなされる構成回路については、ベースバンドユニットからの電源制御が必要なくなり、ベースバンドユニットからの電源制御対象が減少する。
【００２９】
また第５の発明は、前記第４の発明における電源制御手段を、バッテリセービングのための電源制御を行うべき構成回路の全ての電源制御を行うことものとした。
【００３０】
このような手段を講じたことにより、ベースバンドユニットからの電源制御が全く不要となる。
【００３１】
また前記第２の目的を達成するために第６の発明は、ベースバンドユニットに接続されて用いられるもので、無線回線を介して到来した無線周波信号をベースバンド信号に変換して前記ベースバンドユニットへと与える無線ユニットにおいて、前記無線周波信号を減衰させる例えば３つのアッテネータからなる減衰手段と、所定の強入力状態であることを検出する例えば強入力検出部などの強入力検出手段と、この強入力検出手段により前記強入力状態であることが検出されているときに、前記減衰手段により前記無線周波信号を減衰させる、例えば主制御部およびタイミング制御部よりなる減衰制御手段とを備えた。
【００３２】
このような手段を講じたことにより、強入力時に対応するための無線周波信号の減衰処理が当該無線ユニット内で閉ループにより行われることとなり、ベースバンドユニットからの制御を受ける必要がない。
【００３３】
【発明の実施の形態】
以下、図面を参照して本発明の一実施形態につき説明する。
【００３４】
図１は本実施形態に係る無線ユニットの要部構成を示すブロック図である。なお、図４と同一部分には、同一符号を付してある。
【００３５】
この図において、符号１００を付して示してあるものが本実施形態の無線ユニットであり、Ｉ／Ｑ変調部１、利得制御増幅器３、ミキサ４、バンドパスフィルタ６、ドライバ７、パワーアンプ８、アンテナスイッチ９、バンドパスフィルタ１１、低ノイズアンプ１３、ミキサ１４、バンドパスフィルタ１６、ミキサ１７、バンドパスフィルタ１８、中間周波増幅器１９、ＲＳＳＩ検出部２０、ＰＬＬユニット２１、水晶振動子２２、第１電圧制御発振器（以下、第１ＶＣＯと称する）２３、第２電圧制御発振器（以下、第２ＶＣＯと称する）２４、レギュレータ２５，２６、電圧センサ２７、温度センサ２８、Ｄ／Ａ変換器３１、アンテナ端子３２、アッテネータ３３，３４，３５、強入力検出部３６、Ａ／Ｄ変換器３７，３８、ローパスフィルタ３９，４０、スイッチユニット４１、Ａ／Ｄ変換器４２，４３、インタフェース部４４、Ｄ／Ａ変換器４５および制御ユニット４６を有している。
【００３６】
図示しないベースバンドユニットから与えられる中間周波帯の送信信号は、Ｉ系統、Ｑ系統が個々にＩ／Ｑ変調部１に入力され、第２ＶＣＯ２４からＩ／Ｑ変調部１に与えられている第２局発信号を用いて変調される。
【００３７】
変調後の送信信号は、送信レベル調整のために利得制御増幅器３で任意のゲインで増幅された後、第１ＶＣＯ２３から出力される第１局発信号とミキサ４で合成されることで無線周波帯にアップコンバートされる。なお、利得制御増幅器３の利得は、制御ユニット４６からＤ／Ａ変換器３１を介して与えられる利得制御信号により制御される。
【００３８】
無線周波帯となった送信信号は、バンドパスフィルタ６にて不要周波数成分が除去された後、ドライバ７およびパワーアンプ８によって無線送信可能なレベルまで増幅される。
【００３９】
こののち送信信号は、アンテナ端子３２に接続されたアンテナ１２へとアンテナスイッチ９およびバンドパスフィルタ１１を介して供給され、無線送信される。
【００４０】
一方、到来した電波からアンテナ１２で変換された受信信号は、バンドパスフィルタ１１およびアンテナスイッチ９を介して低ノイズアンプ１３に与えられる。そして受信信号は低ノイズアンプ１３により増幅されるが、受信レベルが大きいときには、アッテネータ３３，３４，３５によって適宜減衰されてレベルが調整される。
【００４１】
このようにしてレベルが調整されたのちの受信信号は、第１ＶＣＯ２３から出力される第１局発信号とミキサ１４にて、さらに第２ＶＣＯ２４から出力される第２局発信号とミキサ１７にてそれぞれ合成されることで中間周波帯にダウンコンバートされる。なお、局発信号と合成される毎に、受信信号はバンドパスフィルタ１６，１８により不要成分が除去される。
【００４２】
ダウンコンバート後の受信信号は、中間周波増幅器１９で増幅された上で、ＩＦ出力端子よりベースバンドユニットへと出力される。
【００４３】
ミキサ１４から出力された受信信号は、強入力検出部３６にも入力されている。強入力検出部３６は、このミキサ１４から出力された受信信号のレベルを監視しており、所定の強入力状態になっているか否かを示す強入力検出信号を出力する。この強入力検出部３６が出力する強入力検出信号は、Ａ／Ｄ変換器３７でディジタル化された上で、制御ユニット４６へと与えられる。
【００４４】
さて、中間周波増幅器１９に接続されたＲＳＳＩ検出部２０では、受信の入力レベル（ＲＳＳＩ）に比例したＤＣ電圧を生成し、出力することでＲＳＳＩの変化に応じてレベル変化するＲＳＳＩ信号を出力する。このＲＳＳＩ信号は、Ａ／Ｄ変換器３８でディジタル化された上で、制御ユニット４６へと与えられる。
【００４５】
ＰＬＬユニット２１は、第１ＰＬＬ２１ａ、第２ＰＬＬ２１ｂ、水晶発振器２１ｃおよびバッファ２１ｄを有している。
【００４６】
第１ＰＬＬ２１ａは、第１ＶＣＯ２３の出力をローパスフィルタ３９を介してフィードバックし、第１局発信号が所定の出力となるように第１ＶＣＯ２３の発信周波数を制御する。
【００４７】
第２ＰＬＬ２１ｂは、第２ＶＣＯ２４の出力をローパスフィルタ４０を介してフィードバックし、第２局発信号が所定の出力となるように第２ＶＣＯ２４の発信周波数を制御する。
【００４８】
水晶発振器２１ｃは、水晶振動子２２が出力する基準信号から所定の周波数のシステムクロックを生成し、このシステムクロックをバッファ２１ｄを介してＳＹＳ  ＣＫ出力端子からベースバンドユニットへと出力する。
【００４９】
なおこのＰＬＬユニット２１は、位相比較器での位相比較が一致しているときにHighレベルで、その他のときにはパルス状態であるロック検出信号Ｌ  ＤＥＴを出力する。
【００５０】
レギュレータ２５，２６は、ベースバンドユニットから３．６Ｖ電源供給端子を介して３．６Ｖの電力の供給を受け、３Ｖおよび２．８Ｖの電力を生成する。このレギュレータ２５，２６が生成する電力は、スイッチユニット４１を介して以下の各部にそれぞれ供給される。
【００５１】
ａ.低ノイズアンプ１３およびミキサ１４
ｂ．ミキサ１７
ｃ．中間周波増幅器１９およびＲＳＳＩ検出部２０
ｄ．第１ＶＣＯ２３
ｅ．水晶発振器２１ｃ
ｆ．第２ＶＣＯ２４
ｇ，ｈ．アンテナスイッチ９
ｉ．パワーアンプ８
ｊ．ドライバ７
ｋ．ミキサ４
ｌ．利得制御増幅器３
ｍ．Ｉ／Ｑ変調部１
ｎ．第１ＰＬＬ２１ａ
ｏ．第２ＰＬＬ２１ｂ
ｐ．アッテネータ３３
ｑ．アッテネータ３４
ｒ．アッテネータ３５
ｓ．強入力検出部３６
なおスイッチユニット４１は、以上のａ〜ｓの各出力を個別にＯＮ／ＯＦＦ可能で、制御ユニット４６からの制御の下にそれらをＯＮ／ＯＦＦする。
【００５２】
電圧センサ２７は、ベースバンドユニットから３．６Ｖ電源供給端子を介して供給される電力の電圧に応じたレベルの電圧検出信号を出力する。この電圧検出信号は、Ａ／Ｄ変換器４２でディジタル化された上で、制御ユニット４６に与えられる。
【００５３】
温度センサ２８は、周囲温度に応じたレベルの温度検出信号を出力する。この温度検出信号は、Ａ／Ｄ変換器４３でディジタル化された上で、制御ユニット４６に与えられる。
【００５４】
インタフェース部４４は、後述する補正条件設定作業の際に接続される測定器２００から出力される測定信号を制御ユニット４６で取り込み可能な形態に変換して制御ユニット４６へと与える。なお測定器２００は、補正条件設定作業の際にアンテナ端子３２に接続され、送信信号のレベル測定やテスト用の受信信号の出力を行うものである。
【００５５】
Ｄ／Ａ変換器４５は、制御ユニット４６から与えられるディジタル状態のＲＳＳＩ信号をアナログ化した上で、ＲＳＳＩ出力端子を介してベースバンドユニットへと出力する。
【００５６】
さて制御ユニット４６は図２に示すように、送信出力調整部４６ａ、ＲＳＳＩ補正部４６ｂ、ＲＳＳＩ出力部４６ｃ、補正情報管理部４６ｄ、補正情報メモリ４６ｅ、タイミング制御部４６ｆ、タイミング情報メモリ４６ｇおよび主制御部４６ｈを有している。
【００５７】
送信出力調整部４６ａは、主制御部４６ｈから出力される利得制御信号のレベルを、補正情報管理部４６ｄから与えられる補正情報を考慮して補正する。そしてこの送信出力調整部４６ａは、補正後の利得制御信号をＤ／Ａ変換器３１を介して利得制御増幅器３に与える。
【００５８】
ＲＳＳＩ補正部４６ｂには、ＲＳＳＩ検出部２０から出力され、Ａ／Ｄ変換器３８でディジタル化されたＲＳＳＩ信号が与えられている。またＲＳＳＩ補正部４６ｂには、補正情報管理部４６ｄから補正情報が与えられており、この補正情報に基づいてＲＳＳＩ信号の補正を行う。そしてＲＳＳＩ補正部４６ｂは、補正後のＲＳＳＩ信号をＲＳＳＩ出力部４６ｃに与える。
【００５９】
ＲＳＳＩ出力部４６ｃは、ＲＳＳＩ補正部４６ｂから与えられるＲＳＳＩ信号を、Ｄ／Ａ変換器４５を介して図示しないベースバンドユニットへと出力する。
【００６０】
補正情報管理部４６ｄに対して補正条件設定状態時には、Ａ／Ｄ変換器４２から電圧検出信号が、Ａ／Ｄ変換器４３から温度検出信号が、インタフェース部４４から測定器２００での測定値が、ＲＳＳＩ補正部４６ｂから未補正のＲＳＳＩ信号が、主制御部４６ｈからチャネル（ＣＨ）指定情報、アッテネータ情報およびＲＦ入力レベル情報がそれぞれ与えられる。そして補正条件設定状態において補正情報管理部４６ｄは、これらの入力情報に基づいて利得制御信号生成用の補正情報およびＲＳＳＩ信号用の補正情報を生成し、補正情報メモリ４６ｅに格納する。
【００６１】
また補正情報管理部４６ｄに対して通常動作状態においては、Ａ／Ｄ変換器４２から電圧検出信号が、Ａ／Ｄ変換器４３から温度検出信号が、主制御部４６ｈからチャネル（ＣＨ）指定情報およびアッテネータ情報がそれぞれ与えられる。そして通常動作状態において補正情報管理部４６ｄは、これらの入力情報に基づいて、現在の動作状況における利得制御信号生成用の補正情報およびＲＳＳＩ信号用の補正情報を補正情報メモリ４６ｅから取り出し、利得制御信号生成用の補正情報を送信出力調整部４６ａに、またＲＳＳＩ信号用の補正情報をＲＳＳＩ補正部４６ｂへとそれぞれ与える。
【００６２】
タイミング制御部４６ｆは、タイミング情報メモリ４６ｇに予め登録されたタイミング情報に基づいてスイッチユニット４１を制御することで、各部の動作タイミングを制御する。
【００６３】
主制御部４６ｈには、図示しないベースバンドユニットから、送信制御（Ｔｘ）、受信制御（Ｒｘ）、チャネル制御（ＣＨ）、待受け制御およびスロット制御の各制御情報が与えられる。また主制御部４６ｈには、制御ユニット４６内の送信出力調整部４６ａ、ＲＳＳＩ補正部４６ｂ、補正情報管理部４６ｄおよびタイミング制御部４６ｆの他に、ＰＬＬユニット２１およびＡ／Ｄ変換器３７がそれぞれ接続されている。
【００６４】
そして主制御部４６ｈは、各種の入力情報を参照しつつ、送信出力調整部４６ａ、ＲＳＳＩ補正部４６ｂ、補正情報管理部４６ｄ、タイミング制御部４６ｆおよびＰＬＬユニット２１の動作を制御する。
【００６５】
次に以上のように構成された無線ユニット１００の動作につき説明する。なお、送受信に関する基本的な動作は従来よりある無線ユニットと同様であるので説明を省略し、ここでは本発明のいくつかの特徴的な動作を中心に説明することとする。
【００６６】
［利得制御信号およびＲＳＳＩ信号の補正］
まず、当該無線ユニット１００の製造時などにおいて補正条件設定が行われる。
【００６７】
この補正条件設定においては、アンテナ端子３２およびインタフェース部４４に図１に示すように測定器２００が接続され、制御ユニット４６が補正条件設定状態とされる。また、周囲温度は所定の基準温度（例えば２５℃）とされる。
【００６８】
さらに、ベースバンドユニットを送信状態に設定し、このベースバンドユニットから与えられるＩ，Ｑ入力（Ｉ，Ｑ）を、Ｉ／Ｑ変調部１にて変調してＩＦ帯とした上で出力する。
【００６９】
そして、このときのアンテナ端子３２からの出力レベルを測定器２００により測定し、その測定結果をインタフェース部４４を介して補正情報管理部４６ｄに取り込む。
【００７０】
補正情報管理部４６ｄは測定結果を確認し、送信出力が所定の目的値より大きいか否かを判断して、利得制御を送信出力調整部４６ａに対して指示をする。そうすると送信出力調整部４６ａは、指示に応じた利得制御信号をＤ／Ａ変換器３１を介して利得制御増幅器３へと送って利得制御増幅器３の利得を制御する。
【００７１】
補正情報管理部４６ｄは、ある送信出力が達成されるのときに送信出力調整部４６ａがＤ／Ａ変換器３１へと出力するディジタル値、すなわち利得制御信号レベルを初期調整値Ａとして補正情報メモリ４６ｅへ格納する。
【００７２】
このような初期調整値Ａの取得は、送信チャネルを両サイドのＬチャネルおよびＨチャネルとセンタのＭチャネルとのそれぞれに設定した状態でそれぞれ行う。なお、Ｌチャネル、Ｍチャネル、Ｈチャネルのそれぞれにおける初期調整値を、それぞれＡ１，Ａ２，Ａ３とする。
【００７３】
このほかに利得制御信号の補正に必要なデータとしては、温度係数、電圧係数、チャネル係数および制御電圧対出力変化係数がある。
【００７４】
補正情報管理部４６ｄは、送信出力が所定レベルとなる利得制御信号レベルの、周囲温度が所定値Ｔ１であるときと周囲温度がＴ１よりも大きな所定値Ｔ２であるときとの差を測定し、このレベル差を温度差（Ｔ２−Ｔ１）で除算することで温度係数α［dB／℃］を求め、この温度係数αを補正情報メモリ４６ｅへ格納する。
【００７５】
補正情報管理部４６ｄは、送信出力が所定レベルとなる利得制御信号レベルの、ベースバンドユニットからの供給電圧が所定値Ｖ１であるときと供給電圧がＶ１よりも大きな所定値Ｖ２であるときとの差を測定し、このレベル差を（Ｖ２−Ｖ１）で除算することで電圧係数β［dB／Ｖ］を求め、この電圧係数βを補正情報メモリ４６ｅへ格納する。
【００７６】
補正情報管理部４６ｄは、送信出力が所定レベルとなる利得制御信号レベルの、ＬチャネルのときとＭチャネルのときとの差を測定し、このレベル差をＬ−Ｍチャネル間のチャネル数で除算することでチャネル係数γ１［dB／チャネル］を求める。また補正情報管理部４６ｄは、送信出力が所定レベルとなる利得制御信号レベルの、ＭチャネルのときとＨチャネルのときとの差を測定し、このレベル差をＭ−Ｈチャネル間のチャネル数で除算することでチャネル係数γ２［dB／チャネル］を求める。そして補正情報管理部４６ｄは、チャネル係数γ１，γ２を補正情報メモリ４６ｅへ格納する。
【００７７】
さらに補正情報管理部４６ｄは、利得制御信号レベルを所定レベルＣ１としたときにおける送信出力レベルと、利得制御信号レベルをＣ１よりも大きな所定レベルＣ２としたときにおける送信出力レベルとの差を測定し、このレベル差を（Ｃ２−Ｃ１）で除算することで制御電圧対出力変化係数Ｂ［dB／Ｖ］を求め、この制御電圧対出力変化係数Ｂを補正情報メモリ４６ｅへ格納する。
【００７８】
なお、以上の各種係数のいずれの算出においても、周囲温度、供給電圧および使用チャネルのうちの定義されていないものは、所定の状態に固定される。
【００７９】
一方、測定器２００からテスト用の受信信号を所定のレベルで出力させた状態で、ＲＳＳＩ検出部２０により生成されるＲＳＳＩ信号を、ＲＳＳＩ補正部４６ｂでの補正を行わずに補正情報管理部４６ｄへと導く。
【００８０】
ＲＳＳＩ信号の補正に必要なデータとしては、温度係数、電圧係数およびチャネル係数がある。
【００８１】
補正情報管理部４６ｄは、周囲温度が所定値Ｔ１であるときにおけるＲＳＳＩ信号と周囲温度がＴ１よりも大きな所定値Ｔ２におけるＲＳＳＩ信号との差を測定し、この差を（Ｔ２−Ｔ１）で除算することで温度係数δ［bit／℃］を求め、この温度係数δを補正情報メモリ４６ｅへ格納する。
【００８２】
補正情報管理部４６ｄは、ベースバンドユニットからの供給電圧が所定値Ｖ１であるときにおけるＲＳＳＩ信号と供給電圧がＶ１よりも大きな所定値Ｖ２である時におけるＲＳＳＩ信号とのレベル差を測定し、このレベル差を（Ｖ２−Ｖ１）で除算することで電圧係数ε［bit／Ｖ］を求め、この電圧係数εを補正情報メモリ４６ｅへ格納する。
【００８３】
補正情報管理部４６ｄは、ＬチャネルにおけるＲＳＳＩ信号とＭチャネルにおけるＲＳＳＩ信号とのレベル差を測定し、このレベル差をＬ−Ｍチャネル間のチャネル数で除算することでチャネル係数ζ１を求める。また補正情報管理部４６ｄは、ＭチャネルにおけるＲＳＳＩ信号とＨチャネルにおけるＲＳＳＩ信号とのレベル差を測定し、このレベル差をＭ−Ｈチャネル間のチャネル数で除算することでチャネル係数ζ２を求める。そして補正情報管理部４６ｄは、チャネル係数ζ１，ζ２を補正情報メモリ４６ｅへ格納する。
【００８４】
以上のようにして、利得制御信号用およびＲＳＳＩ信号用の補正情報が生成され、補正情報メモリ４６ｅへ格納される。
【００８５】
なお、以上の各種係数のいずれの算出においても、周囲温度、供給電圧および使用チャネルのうちの定義されていないものは、所定の状態に固定される。
【００８６】
そしてこのように生成された補正情報を用いて、利得制御信号およびＲＳＳＩ信号の補正が以下のようにして行われる。
【００８７】
利得制御信号およびＲＳＳＩ信号の補正を行う状態、すなわち実際の運用状態で補正情報管理部４６ｄは、補正情報メモリ４６ｅから初期調整値Ａ１，Ａ２，Ａ３、温度係数α、電圧係数β、チャネル係数γ１，γ２および制御電圧対出力変化係数Ｂを取り出し、これらの各補正情報を送信出力調整部４６ａへと与える。また補正情報管理部４６ｄは、補正情報メモリ４６ｅから温度係数δ、電圧係数εおよびチャネル係数ζ１，ζ２を取り出し、これらの各補正情報をＲＳＳＩ補正部４６ｂへと与える。
【００８８】
さらに補正情報管理部４６ｄは、Ａ／Ｄ変換器４２から与えられる電圧検出信号に基づいて現在の電源電圧を、またＡ／Ｄ変換器４３から与えられる温度検出信号に基づいて現在の周囲温度を、さらに主制御部４６ｈから与えられるチャネル情報に基づいて現在の使用チャネルをそれぞれ判定し、これらを送信出力調整部４６ａおよびＲＳＳＩ補正部４６ｂにそれぞれ通知する。また補正情報管理部４６ｄは、主制御部４６ｈから与えられるアッテネータ情報に基づいて現在の受信信号減衰量を判定し、これをＲＳＳＩ補正部４６ｂに通知する。
【００８９】
さて送信出力調整部４６ａはこれらの情報を受けて、主制御部４６ｈから与えられる利得制御信号のレベルを、自ユニットの特性により生じる送信電力のチャネル間偏差、温度偏差および電圧偏差を補償するごとく適切に補正する。
【００９０】
またＲＳＳＩ補正部４６ｂはこれらの情報を受けて、ＲＳＳＩ検出部２０からＡ／Ｄ変換器３８を介して与えられるＲＳＳＩ信号のレベルを、自ユニットの特性により生じるＲＳＳＩのチャネル間偏差、温度偏差および電圧偏差を補償するごとく適切に補正する。
【００９１】
このように本実施形態によれば、自ユニットの実際の特性に応じて、利得制御信号のレベルが補正され、送信出力レベルを常に目標値に適正に調整することができる。従って、ベースバンドユニット側では、無線ユニット１００の特性は一切考慮することなしに、送信出力レベルの目標値の指定だけを行えばよい。
【００９２】
また本実施形態によれば、ＲＳＳＩ信号はそのレベルが、受信入力レベルとの関係が正規の状態となるように自ユニットの実際の特性に応じて補正された上で出力される。従って、ベースバンドユニット側では、無線ユニット１００から出力されるＲＳＳＩ信号のレベルから受信入力レベルを容易かつ正確に判断することが可能である。
【００９３】
また本実施形態では、ＲＳＳＩ信号の補正に、アッテネータ３３，３４，３５による受信信号の減衰量も考慮しているので、これらアッテネータ３３，３４，３５で減衰される前の正しい受信入力レベルを示すＲＳＳＩ信号を生成することが可能となっており、ベースバンドユニット側での受信入力レベルの判断に当っては、ＲＳＳＩ信号のレベルのみに着目すればよい。
【００９４】
また従来は、各無線ユニットの特性は同様な特性カーブを示し、ずれも平行移動するという仮説の下に、多数の無線ユニットの平均的な特性を代表値としてベースバンドユニットに持たせておき、この代表値と実際の無線ユニットの特性との誤差を考慮して利得制御電圧およびＲＳＳＩレベルの補正を行っていた。
【００９５】
このため従来では、代表値の特性カーブと無線ユニット１００の実際の特性カーブとの誤差や、ずれの発生状況のバラツキなどにより補正が必ずしも正確に行えていなかった。
【００９６】
しかし本実施形態によれば、代表値を用いずに、個々の無線ユニット１００の特性に基づいて生成した補正情報と無線ユニット１００での実際に得られる信号とに基づいて補正が行われるので、従来に比べて正確な補正が行える。
【００９７】
ところでパワーアンプ８の制御電圧対出力特性はリニアではなく、個別にその特性が変わることが一般的である。しかもパワーアンプ８は、一般的には低消費電流化のためにぎりぎりの特性に近いため、リニアリティのばらつきは大きくなっている。
【００９８】
しかしながら従来の補正方法では、このようなパワーアンプ８の個々の特性は考慮できないため、補正の最大幅を小さくして補正をあまりかけないようにすることでリニアリティのバラツキの影響を小さく抑えるようにしていた。
【００９９】
本実施形態では、無線ユニット１００の個々の制御電圧対出力変化係数Ｂに基づいて送信出力レベルを適正に調整するので補正幅を大きくすることができ、送信出力レベルの最大値を従来よりも大きくすることが可能となる。
【０１００】
［電源制御］
タイミング制御部４６ｆは、バッテリセービングのために、主制御部４６ｈからの指示（ＰＬＬユニット２１のロック通知など）およびタイミング情報メモリ４６ｇに格納されたタイミング情報に基づいて例えば図３に示すようなタイミングで電源供給がなされるようにレギュレータ２５，２６およびスイッチユニット４１を制御する。
【０１０１】
このように本実施形態によれば、無線ユニット１００において無線ユニット１００内の各部の電源制御を行っているので、電源制御のための多数の信号をベースバンドユニットから取り込む必要がない。従って、ベースバンドユニットとの間での信号線数を減少することが可能となる。
【０１０２】
さらに電源制御を無線ユニット１００内で行っていることから、ロック検出信号Ｌ  ＤＥＴをベースバンドユニットへと与える必要がない。従って、ベースバンドユニットとの間での信号線数をさらに減少することが可能となる。
【０１０３】
またベースバンドユニットにて無線ユニット１００の電源制御を行う必要がないので、ユーザが無線ユニット１００の特性を十分に理解した上でベースバンドユニットでの制御タイミングを適切に設定するといった面倒な作業は不要となる。
【０１０４】
［強入力時処理］
主制御部４６ｈは、強入力検出部３６からＡ／Ｄ変換器３７を介して与えられる強入力検出信号を定期的に確認する。
【０１０５】
そして強入力検出信号が強入力状態を示すときに主制御部４６ｈは、その強入力の状態に応じてアッテネータ３３，３４，３５を適宜動作させるようにタイミング制御部４６ｆに指示する。
【０１０６】
この指示を受けてタイミング制御部４６ｆは、指定されたアッテネータを動作させ、受信信号を減衰させる。
【０１０７】
このように本実施形態によれば、無線ユニット１００内で閉ループにより強入力時のアッテネータ制御を行うので、強入力検出信号およびアッテネータ３３，３４，３５の制御信号をベースバンドユニットとの間で授受する必要がない。従って、ベースバンドユニットとの間での信号線数を減少することが可能となる。
【０１０８】
なお、本発明は上記実施形態に限定されるものではない。例えば上記実施形態では、送信制御（Ｔｘ）、受信制御（Ｒｘ）、チャネル制御（ＣＨ）、待受け制御およびスロット制御の各制御情報を個別の信号線により伝送するものとしているが、共通のシリアルインタフェースを介して伝送することとすれば、さらに信号線数を減少することができる。
【０１０９】
この場合にさらに、ＩＦ入力をもディジタル化した状態で上記のシリアルインタフェースを介して伝送することとし、Ｉ成分およびＱ成分をそれぞれアナログ化した上でＩ／Ｑ変調部１へと導くようにすることができる。そしてこのような構成とすれば、信号線数をさらに減少することができる。また、利得制御信号の補正情報の作成時にＩ，Ｑ出力のばらつきも含めて測定できるので、このＩ，Ｑ出力のばらつきをも補償するごとく利得制御信号を決定することが可能となり、その調整をユーザが行う必要が無くなる。
【０１１０】
また上記実施形態では、無線ユニット１００内の各部の電源制御は、全て無線ユニット１００内にて行うようにしているが、一部の構成回路に関する電源制御はベースバンドユニット側からの制御によるようにしても良い。ただし、無線ユニット１００内にて全て行うことが、信号線数の減少効果が最も大きい。
【０１１１】
このほか、本発明の要旨を逸脱しない範囲で種々の変形実施が可能である。
【０１１２】
【発明の効果】
第１の発明によれば、ベースバンドユニットに接続されて用いられるもので、このベースバンドユニットから与えられるベースバンド信号を無線周波信号に変換して無線送信する無線ユニットにおいて、周囲温度を検出する温度検出手段と、外部からの供給電力の電圧を検出する電圧検出手段と、前記無線周波信号を、制御電圧のレベルに応じた利得で増幅する増幅手段と、自ユニットを用いて求められたもので周囲温度の単位変化に対する送信出力の変化量を示した温度係数を記憶した温度係数記憶手段と、自ユニットを用いて求められたもので前記供給電圧の単位変化に対する送信出力の変化量を示した電圧係数を記憶した電圧係数記憶手段と、自ユニットを用いて求められたもので単位チャネル変化に対する送信出力の変化量を示したチャネル係数を記憶したチャネル係数記憶手段と、自ユニットを用いて求められたもので前記制御電圧の単位変化に対する送信出力の変化量を示した制御電圧対出力係数を記憶した制御電圧対出力係数記憶手段と、前記温度検出手段により検出された周囲温度と前記温度係数記憶手段に記憶された温度係数とに基づいて周囲温度の変化にともなう送信出力の偏差を、前記電圧検出手段により検出された電圧と前記電圧係数記憶手段に記憶された電圧係数とに基づいて前記供給電力の電圧の変化にともなう送信出力の偏差を、前記無線周波信号の送信に用いるチャネルと前記チャネル係数記憶手段に記憶されたチャネル係数とに基づいて送信に用いるチャネルに応じた送信出力の偏差を、さらには得ようとする送信出力と前記制御電圧対出力係数記憶手段に記憶された制御電圧対出力係数とに基づいて制御電圧のレベルに応じた送信出力の偏差をそれぞれ補償して送信出力が所望レベルとなるように前記増幅手段に与える制御電圧を決定する送信出力偏差補償手段とを備えたので、当該無線ユニットの特性がベースバンドユニットには影響せず、ベースバンドユニット側で無線ユニットの特性を考慮する必要がなく、ベースバンドユニット側の動作の条件を組み付ける無線ユニットに拘わらずに設定することを可能とする無線ユニットとなる。
【０１１３】
また第２の発明によれば、ベースバンドユニットに接続されて用いられるもので、無線回線を介して到来した無線周波信号をベースバンド信号に変換して前記ベースバンドユニットへと与える無線ユニットにおいて、周囲温度を検出する温度検出手段と、外部からの供給電力の電圧を検出する電圧検出手段と、前記無線周波信号の受信レベルに応じたレベルを持つ受信レベル信号を生成する受信レベル信号生成手段と、自ユニットを用いて求められたもので周囲温度の単位変化に対する前記受信レベル信号のレベルの変化量を示した温度係数を記憶した温度係数記憶手段と、自ユニットを用いて求められたもので前記供給電圧の単位変化に対する前記受信レベル信号のレベルの変化量を示した電圧係数を記憶した電圧係数記憶手段と、自ユニットを用いて求められたもので単位チャネル変化に対する前記受信レベル信号のレベルの変化量を示したチャネル係数を記憶したチャネル係数記憶手段と、前記温度検出手段により検出された周囲温度と前記温度係数記憶手段に記憶された温度係数とに基づいて周囲温度の変化にともなう前記受信レベル信号のレベルの偏差を、前記電圧検出手段により検出された電圧と前記電圧係数記憶手段に記憶された電圧係数とに基づいて前記供給電力の電圧の変化にともなう前記受信レベル信号のレベルの偏差を、さらには前記無線周波信号の伝送に用いられたチャネルと前記チャネル係数記憶手段に記憶されたチャネル係数とに基づいて伝送に用いられたチャネルに応じた前記受信レベル信号のレベルの偏差をそれぞれ補償して前記受信レベル信号のレベルが前記受信信号のレベルと所定の関係をなすように前記受信レベル信号を補正する受信レベル信号補正手段とを備えたので、ベースバンドユニットでは偏差がほとんどない受信レベル信号を取得することができ、無線ユニットの特性を考慮しての受信レベル信号の補償を行う必要がない。従って、ベースバンドユニット側で無線ユニットの特性を考慮する必要がなく、ベースバンドユニット側の動作の条件を組み付ける無線ユニットに拘わらずに設定することを可能とする無線ユニットとなる。
【０１１４】
また第３の発明によれば、前記第２の発明に加えて、前記無線周波信号を減衰させる減衰手段と、所定の強入力状態であることを検出する強入力検出手段と、この強入力検出手段により前記強入力状態であることが検出されているときに、前記減衰手段により前記無線周波信号を減衰させる減衰制御手段とを備え、かつ前記受信レベル信号補正手段を、前記減衰手段による減衰量をも考慮して前記受信レベル信号を補正するものとしたので、減衰手段による減衰量をも考慮した正しい受信信号レベルを示した受信レベル信号が出力される。従って、ベースバンドユニット側で無線ユニットの特性を考慮する必要がなく、ベースバンドユニット側の動作の条件を組み付ける無線ユニットに拘わらずに設定することを可能とする無線ユニットとなる。
【０１１５】
また第４の発明によれば、ベースバンドユニットに接続されて用いられるもので、このベースバンドユニットから与えられるベースバンド信号を無線周波信号に変換して無線送信する機能、および無線回線を介して到来した無線周波信号をベースバンド信号に変換して前記ベースバンドユニットへと与える機能の少なくともいずれかを備えた無線ユニットにおいて、バッテリセービングのための電源制御を行うべき構成回路の少なくとも一部の電源制御を行う電源制御手段を備えたので、ベースバンドユニットからの電源制御対象が減少することとなり、ベースバンドユニットとの間で授受する信号を減少し、インタフェースの簡略化を図ることができる無線ユニットとなる。
【０１１６】
また第５の発明によれば、前記第４の発明における電源制御手段を、バッテリセービングのための電源制御を行うべき構成回路の全ての電源制御を行うことものとしたので、電源制御のためにベースバンドユニットとの間での信号の授受を行う必要が無くなり、この結果、ベースバンドユニットとの間で授受する信号を減少し、インタフェースの簡略化を図ることができる無線ユニットとなる。
【０１１７】
また第６の発明によれば、ベースバンドユニットに接続されて用いられるもので、無線回線を介して到来した無線周波信号をベースバンド信号に変換して前記ベースバンドユニットへと与える無線ユニットにおいて、前記無線周波信号を減衰させる減衰手段と、所定の強入力状態であることを検出する強入力検出手段と、この強入力検出手段により前記強入力状態であることが検出されているときに、前記減衰手段により前記無線周波信号を減衰させる減衰制御手段とを備えたので、強入力時に対応するための無線周波信号の減衰処理のための制御をベースバンドユニットから受ける必要がなく、この結果、ベースバンドユニットとの間で授受する信号を減少し、インタフェースの簡略化を図ることができる無線ユニットとなる。
【図面の簡単な説明】
【図１】本発明の一実施形態に係る無線ユニットの要部構成を示すブロック図。
【図２】図１中の制御ユニット４６の詳細な構成を示すブロック図。
【図３】図２中のタイミング制御部４６ｆによる電源制御の内容を示すタイミング図。
【図４】従来の無線ユニットの構成例を示すブロック図。
【符号の説明】
１００…無線ユニット
２００…測定器
１…Ｉ／Ｑ変調部
３…利得制御増幅器
４，１４，１７…ミキサ
６，１１，１６，１８…バンドパスフィルタ
７…ドライバ
８…パワーアンプ
９…アンテナスイッチ
１３…低ノイズアンプ
１９…中間周波増幅器
２０…ＲＳＳＩ検出部
２１…ＰＬＬユニット
２２…水晶振動子
２３…第１電圧制御発振器（第１ＶＣＯ）
２４…第２電圧制御発振器（第２ＶＣＯ）
２５，２６…レギュレータ
２７…電圧センサ
２８…温度センサ
３１…Ｄ／Ａ変換器
３２…アンテナ端子
３３，３４，３５…アッテネータ
３６…強入力検出部
３７，３８，４２，４３…Ａ／Ｄ変換器
３９，４０…ローパスフィルタ
４１…スイッチユニット
４４…インタフェース部
４５…Ｄ／Ａ変換器
４６…制御ユニット
４６ａ…送信出力調整部
４６ｂ…ＲＳＳＩ補正部
４６ｃ…ＲＳＳＩ出力部
４６ｄ…補正情報管理部
４６ｅ…補正情報メモリ
４６ｆ…タイミング制御部
４６ｇ…タイミング情報メモリ
４６ｈ…主制御部
【図１】
0004342642.tif 000002
【図２】
0004342642.tif 000003
【図３】
0004342642.tif 000004
【図４】
0004342642.tif 000005